(57)【要約】      （修正有）【課題】簡易に収納及び組立をできるとともに、利用場面に応じて適切な形態を取ることができる簡易テントを提供する。【解決手段】簡易テント１は、床面、及び、床面の外縁部から立ち上がって上方に開口する周壁、を有する本体２と、周壁の上方を覆う屋根３と、屋根３を本体２の上方に着脱自在に取り付ける連結部材４と、を具備する。【選択図】図１
0003231583.tif 000002
【実用新案登録請求の範囲】
【請求項１】
床面、及び、前記床面の外縁部から立ち上がって上方に開口する周壁、を有する本体と、
前記周壁の上方を覆う屋根と、
前記屋根を前記本体の上方に着脱自在に取り付ける連結部材と、
を具備することを特徴とする簡易テント。
【請求項２】
前記屋根が、開閉自在な通気性窓を有すること、
を特徴とする請求項１に記載の簡易テント。
【請求項３】
前記周壁における対向する内面の間に亘って着脱自在に設けられる仕切り部を更に有すること、
を特徴とする請求項１又は２に記載の簡易テント。
【請求項４】
前記周壁において、前記仕切り部の一方の側及び他方の側にそれぞれ通じる出入口が設けられていること、
を特徴とする請求項３に記載の簡易テント。
【考案の詳細な説明】
【技術分野】
【０００１】
本考案は簡易テントに関する。
【背景技術】
【０００２】
特許文献１（特許第５５７２７５１号公報）は、４枚の略矩形状壁の各両側縁が相隣る略矩形状壁の両側縁にそれぞれ折畳み可能に連結された筒状周壁体から構成される折畳み式テントを開示している。
【先行技術文献】
【特許文献】
【０００３】
【特許文献１】特許第５５７２７５１号公報
【考案の概要】
【考案が解決しようとする課題】
【０００４】
かかる折畳み式テントでは、周壁体と天面ないし屋根とは一体化されており、周壁体から屋根を取り外すことはできない。それゆえ、折畳み式テントの利用場面が制限されている。
【０００５】
そこで、本考案の目的は、簡易に収納及び組立をできるとともに、利用場面に応じて適切な形態を取ることができる簡易テントを提供することにある。
【課題を解決するための手段】
【０００６】
上記の課題を解決すべく、本考案は、
床面、及び、前記床面の外縁部から立ち上がって上方に開口する周壁、を有する本体と、
前記周壁の上方を覆う屋根と、
前記屋根を前記本体の上方に着脱自在に取り付ける連結部材と、
を具備することを特徴とする簡易テント
を提供する。
【０００７】
上記の本考案の簡易テントにおいては、前記屋根が、開閉自在な通気性窓を有すること、が好ましい。
【０００８】
また、上記の本考案の簡易テントでは、前記周壁における対向する内面の間に亘って着脱自在に設けられる仕切り部を更に有すること、が好ましい。そして、この場合、前記周壁において、前記仕切り部の一方の側及び他方の側にそれぞれ通じる出入口が設けられていること、が好ましい。
【０００９】
また、上記の本考案の簡易テントでは、前記本体が、前記周壁の外面にポケットを有すること、が好ましい。
【００１０】
また、上記の本考案の簡易テントでは、前記屋根が、物を吊下げるための吊下部を内面に有すること、が好ましい。
【考案の効果】
【００１１】
本考案によれば、簡易に収納及び組立をできるとともに、屋根を本体から取り外すことができるので、利用場面に応じて適切な形態を取ることができる簡易テントを提供することができる。
【図面の簡単な説明】
【００１２】
【図１】本考案の一実施形態に係る簡易テント１の分解状態及び完成状態を示す斜視図である。
【図２】仕切り部７がない状態及びある状態を示す本体の斜視図である。
【図３】本体２の展開図である。
【図４】屋根３の上面、裏面、正面、背面及び側面を示す図である。
【考案を実施するための形態】
【００１３】
以下、本考案に係る簡易テントの代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。
【００１４】
簡易テント１は、本体２、屋根３及び連結部材４を具備する。図１（Ａ），（Ｂ）に示すように、本体２と屋根３とは互いに分離可能であり、連結部材４を介して着脱自在に連結される。設営された簡易テント１は、本体２に取り付けられた紐６を介して、砂袋やペグ等の固定手段（図示せず）に固定されてもよい。
【００１５】
図２（Ａ）に示すように、本体２は、床面２１と、床面２１の外縁部から立ち上がって上向きに開口する周壁２２と、を有する。つまり、本体２は利用者の居住空間Ｓを囲んでいる。本体２は、例えば樹脂製の柔軟なシート材で作製されてよい。
【００１６】
周壁２２は、２組の対向する壁面２２１〜２２４を含む。図３に示すように、壁面２２１〜２２４はそれぞれ矩形状を呈しており、平坦に展開することができる。壁面２２１〜２２４の外縁部には、所定の剛性を持つとともに弾性変形可能なワイヤないし枠２２１Ａ〜２２４Ａが取り付けられている。したがって、周壁２２は支柱なしに自立可能であり、屋根３をその上方に支持することができる。
【００１７】
図２（Ａ），（Ｂ）に示すように、本実施形態では周壁２２に２つの出入口２３が設けられている。ここでは、仕切り部７の一方の側に通じる出入口２３と仕切り部７の他方の側に通じる出入口２３の２つが設けられている。このように複数の出入口２３が設けられてもよく、これにより、仕切り部７で分割された居住空間Ｓごとに出入口が設けられ（即ち、仕切り部７の一方の側及び他方の側にそれぞれ通じる出入口２３が設けられ）、利便性が向上する。
【００１８】
なお、出入口２３は壁面２２１に形成されているが、他の壁面２２２〜２２４に出入口が設けられてもよい。また、プライバシー保護の観点から出入口２３はカバー２４で開閉自在に覆われていることが好ましい。
【００１９】
図１（Ｂ）に示すように、周壁２２の外面には透明なポケット２５が取り付けられている。ポケット２５には、例えば簡易的な表札などが挿入されてよい。ここでは、ポケット２５は、出入口２４と同じ壁面２２１に設けられているが、他の壁面２２２〜２２４に設けられてもよい。
【００２０】
図２（Ｂ）に示すように、周壁２２の内面には、仕切り部７を着脱自在に係止するための係止部２６が設けられてもよい。係止部２６は例えば面ファスナであり、対向する壁面２２１，２２２に設けられているが、係止部２６は壁面２２３，２２４に設けられてもよい。係止部２６は、図示したように周壁２２の上縁の近傍に設けられてもよいし、周壁２２の上部から下部に亘って設けられてもよい。
【００２１】
次いで、屋根３は、周壁２２の上方を覆う（図１（Ａ），（Ｂ）参照）。屋根３は、全体としてドーム状をなし、本体２と同じく、樹脂製の柔軟なシート材で作製されてよい。図４（Ｂ）に示すように、屋根３は、ループ３１に挿通された２本のワイヤ３２，３３によって形態を保持される。
【００２２】
屋根３は、開閉自在な通気性窓３４を有する。通気性窓３４は、例えばメッシュ生地で作製され、カバー３５で開閉自在に覆うことが可能である（図１（Ａ），（Ｂ）参照）。
【００２３】
図４（Ｂ）に示すように、屋根３は、ランタンなどの物を吊下げるための吊下部３６を内面に有する。吊下部３６は、例えば先端に面ファスナを有する１組の紐である。
【００２４】
図４（Ｃ），（Ｄ）に示すように、屋根３は、Ｔ字状の先端を有する紐部３７を有していてもよい。紐部３７は、本体２のリング部２７と係合し、本体２と屋根３との結合をより強固にする。
【００２５】
連結部材４は、屋根３を本体２の上方に着脱自在に取り付ける。連結部材４は、例えば本体２と屋根３の両方に設けられた面ファスナであるが、ボタンなどの他の種類のファスナでもよい。
【００２６】
例えば図３に示すように、本体２と屋根３とのより確実な連結のために、周壁２２の上部にリング部材３７が設けられてもよい。リング部材３７は、屋根３の紐部３６と連結されて、屋根３を本体２の上により確実に固定する。
【００２７】
簡易テント１は、仕切り部７を更に有してもよい。仕切り部７は、例えばカーテンのような柔軟な布体である。仕切り部７の左右両側には、面ファスナなどの係合部７１が設けられている。係合部７１が本体２の係止部２６に係合することで、仕切り部７が本体２に固定され、居住空間Ｓが分割される。
【００２８】
上述したように、本実施形態に係る簡易テント１では、屋根３と本体２とが連結可能な別パーツとして構成されている。本体２は収納袋にコンパクトに収納できるとともに、収納袋から取り出して広げるだけで簡単に準備できる。また、屋根３は、ワイヤ３２，３３をループ３１に通すだけで簡単に組み立てられる。しかも、屋根３と本体２とは、連結部材を介して簡単に連結できる。したがって、テント１は簡易に組み立てることができる。
【００２９】
簡易テント１には、紐６を介して各種の固定手段を取り付けることが可能である。したがって、屋内では簡易テント１を砂袋で固定し、屋外ではテント１をペグで固定するというように、設置場所に応じて簡易テント１の固定手段を使い分けることができる。
【００３０】
また、簡易テント１では、本体２と屋根３とを分離できるので、例えば、屋外では本体２と屋根３とを組み合わせてテントとして使用し、避難所等の屋内では、本体２だけを間仕切りとして使用可能である。すなわち、簡易テント１は、使用場面に応じて使用態様を柔軟に変更することができる。
【００３１】
屋根３にはワイヤ３２，３３が交差して設けられ、形態保持のために十分な強度を有する。本実施形態においては、屋根３の下側（内側）に筒状のループ３１が複数設けられており、これらループ３１は、ワイヤ３２，３３を挿通するとワイヤ３２，３３が互いに交差するように構成されている。なお、このループ３１は、屋根３の上側（外側）の面に設けられていてもよく、屋根３の一端から他端まで不連続又は連続して延びていてよい。
【００３２】
屋根３に開閉可能な通気性窓３４があることで、効果的な換気が可能であるとともに、利用者は居住空間Ｓ内から外部の様子を確認したり楽しんだりすることができる。
【００３３】
屋根３の内面に取り付けられた紐部３６により、ランタン等の照明器具を吊り下げることができる。
【００３４】
本体２の周壁２２に仕切り部７を取り付けることで、居住空間Ｓを分割することが可能である。このとき、分割された居住空間Ｓごとに出入り口２３が用意されることで、簡易テント１の利便性が向上する。
【００３５】
連結部材３による本体２と屋根３との連結に加え、周壁２２の上縁に取り付けられたリング部材２７が、屋根３に設けられた紐部３６と係合することで、本体２と屋根３との連結がより強固となる。
【００３６】
周壁２２のポケット２５に例えば氏名を書いた紙等を入れることで、利用者の特定が容易になる。
【００３７】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【符号の説明】
【００３８】
１  簡易テント
２  本体
３  屋根
４  連結部材
Ｓ  居住空間
【図１】
0003231583.tif 000003
【図２】
0003231583.tif 000004
【図３】
0003231583.tif 000005
【図４】
0003231583.tif 000006